(57)【要約】【課題】室内空気の除菌・消臭・加湿が効率よく行え、装置内の除菌・消臭も同時に行えて効果的に室内空気を清浄にできる空気清浄機１−１を提供すること。【解決手段】ケース１０内に収納したファン２３によって空気取り入れ口から取り入れた空気を集塵フィルター２０を通過させて空気中の塵を集塵する。さらに次亜塩素酸水を収納するタンク２９と、タンク２９内の次亜塩素酸水２７を気化する気化装置３０と、気化された次亜塩素酸水ミストの一部をミスト放出口４１から直接外部に吹き出すとともに、他の一部を接続管４３から集塵フィルター２０の前面側に吹き出すミスト放出手段４０とを設ける。ミスト放出手段４０から吹き出した次亜塩素酸水ミストは集塵フィルター２０に付着し、集塵フィルター２０に付着している細菌・ウィルス・カビを除菌すると共に消臭し、同時に集塵フィルター２０を通過する空気を加湿する。【選択図】図１
2013148327.tif 000002
【特許請求の範囲】
【請求項１】
ケース内に、少なくとも集塵フィルターとファンとを収納し、ファンを駆動することでケースに設けた空気取り入れ口から取り入れた空気を、前記集塵フィルターに通過させ、これによって空気中の塵を集塵すると共に、集塵が完了した空気をケースに設けた空気吹き出し孔から外部に吹き出す空気清浄機であって、
前記空気清浄機にはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルターに吹き出すミスト放出手段とを設け、
前記ミスト放出手段から吹き出した次亜塩素酸水ミストを集塵フィルターに付着させることで、集塵フィルターに付着している細菌・ウィルス・カビを除菌すると共に集塵フィルターを消臭し、さらに集塵フィルターを通過する空気の加湿を行うことを特徴とする空気清浄機。
【請求項２】
請求項１に記載の空気清浄機であって、
前記ミスト放出手段は、前記気化装置によって気化された次亜塩素酸水ミストの一部を前記ケースに設けたミスト放出口から直接外部に吹き出すとともに、他の一部を前記集塵フィルターの前面側に吹き出すことを特徴とする空気清浄機。
【請求項３】
ケース内に、少なくとも集塵フィルターとファンとを収納し、ファンを駆動することでケースに設けた煙取り入れ口から取り入れたタバコの煙を、前記集塵フィルターに通過させ、これによってタバコの煙を集塵すると共に、集塵が完了した空気をケースに設けた空気吹き出し孔から外部に吹き出す分煙機であって、
前記分煙機にはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルターに吹き出すミスト放出手段とを設け、
前記ミスト放出手段から吹き出した次亜塩素酸水ミストを集塵フィルターに付着させることで、集塵フィルターに付着している細菌・ウィルス・カビを除菌すると共に集塵フィルターに集塵された悪臭を消臭し、さらに集塵フィルターを通過する空気の加湿を行うことを特徴とする分煙機。
【請求項４】
請求項３に記載の分煙機であって、
前記ミスト放出手段は、前記気化装置によって気化された次亜塩素酸水ミストの一部を前記ケースに設けたミスト放出口から直接外部に吹き出すとともに、他の一部を前記集塵フィルターの前面側に吹き出すことを特徴とする分煙機。
【請求項５】
ケース内に、少なくとも集塵フィルターとファンと加湿手段とを収納し、加湿手段とファンを駆動することでケースに設けた空気取り入れ口から取り入れた空気を、前記集塵フィルターに通過させて集塵すると共に、前記加湿手段によって加湿し、前記集塵と加湿が完了した加湿空気をケースから外部に吹き出す加湿器であって、
前記加湿手段は次亜塩素酸水を収納するタンクと、前記タンク内の次亜塩素酸水を取り出して気化する気化装置と、前記気化装置によって気化された次亜塩素酸水ミストの一部または全部を前記集塵フィルターに吹き出すミスト放出手段とを有して構成され、
前記ミスト放出手段から吹き出した次亜塩素酸水ミストを集塵フィルターに付着させることで、集塵フィルターを通過する空気の加湿を行うと共に、集塵フィルターに付着している細菌・ウィルス・カビを除菌して集塵フィルターを消臭することを特徴とする加湿器。
【請求項６】
請求項５に記載の加湿器であって、
前記ミスト放出手段は、前記気化装置によって気化された次亜塩素酸水ミストの一部を前記ケースから直接外部に吹き出すとともに、他の一部を前記集塵フィルターの前面側に吹き出すことを特徴とする加湿器。
【請求項７】
室内空間への空気の給気口及び排気口と、外気や前記排気口から還流された空気を熱交換機に導くとともに熱交換器で加熱又は冷却された空気を前記給気口から室内に給気するダクトと、前記ダクト内に設置される集塵フィルター及びファンとを具備し、
前記ファンを駆動することで前記ダクト内の空気を前記集塵フィルターに通過させ、これによって空気中の塵を集塵すると共に、集塵が完了した空気を前記給気口から室内空間に吹き出す空調装置であって、
前記空調装置にはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルター又は熱交換器に吹き出すミスト放出手段とを設け、
前記ミスト放出手段から吹き出した次亜塩素酸水ミストを集塵フィルター又は熱交換器に付着させることで、集塵フィルター又は熱交換器に付着している細菌・ウィルス・カビを除菌すると共に集塵フィルター又は熱交換器を消臭し、さらに集塵フィルター又は熱交換器を通過する空気の加湿を行うことを特徴とする空調装置。
【請求項８】
室外機の熱交換器と室内機の熱交換器の間で冷媒を循環すると共に、前記室内機の熱交換器の上流側に集塵フィルターを設置し、前記室内機の熱交換器及び集塵フィルターに対してファンによって室内空気を通過させることで室内空気の温度を冷却又は加熱すると同時に室内空気中の塵を集塵するルームエアコンであって、
前記ルームエアコンにはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルター又は室内機の熱交換器に吹き出すミスト放出手段とを設け、
前記ミスト放出手段から吹き出した次亜塩素酸水ミストを集塵フィルター又は室内機の熱交換器に付着させることで、集塵フィルター又は室内機の熱交換器に付着している細菌・ウィルス・カビを除菌すると共に集塵フィルター又は室内機の熱交換器を消臭し、さらに集塵フィルター又は室内機の熱交換器を通過する室内空気の加湿を行うことを特徴とするルームエアコン。
【請求項９】
自動車内に搭載される自動車搭載用小型噴霧機であって、
前記自動車搭載用小型噴霧機は、次亜塩素酸水を収納するタンクと、前記タンク内の次亜塩素酸水を取り出して気化する気化装置と、前記気化装置によって気化された次亜塩素酸水ミストを吹き出すミスト放出手段とを具備し、
前記ミスト放出手段から吹き出した次亜塩素酸水ミストの少なくとも一部を、直接又は自動車の車内を通して間接に、自動車用空調機構のダクト内に導入して熱交換器に付着させ、これによって熱交換器に付着している細菌・ウィルス・カビを除菌すると共に熱交換器を消臭し、さらに自動車室内空気の加湿を行うことを特徴とする自動車搭載用小型噴霧機。
【発明の詳細な説明】
【技術分野】
【０００１】
本発明は、除菌、消臭、加湿効果を有するミストによる空気清浄装置に関するものである。
【背景技術】
【０００２】
従来、例えば室内の空気中の塵を集塵したり加湿したりする空気清浄機や、喫煙ができる分煙室内に設置され主としてタバコの煙を集塵する分煙機や、室内の湿度を予め設定した湿度に保つ加湿器や、ダクトによって室外の空気を吸気して集塵、加熱又は冷却等を行った後に室内に給気しその後室内の空気をダクトにて還流又は外部に排気する空調装置や、室内空気の温度を冷却又は加熱するルームエアコン等がある。
【０００３】
そしてこれら各種装置は、装置内に設置した集塵フィルターによって空気中の塵やタバコの煙を集塵することができ、また脱臭フィルターや加湿フィルター及び加湿用水タンク等を装着することで脱臭機能や加湿機能を持たせることもできる。
【先行技術文献】
【特許文献】
【０００４】
【特許文献１】特開２０１１−２２６６７０号公報
【発明の概要】
【発明が解決しようとする課題】
【０００５】
しかしながら上記従来の空気清浄機等の各種装置においては、集塵フィルターに集塵した塵（ハウスダスト）の中の細菌・ウィルス・カビ菌等を殺菌するわけではなく、このため一旦集塵フィルターに集塵した細菌などが少しではあるが集塵フィルターを通り抜けて再び室内等に循環したり、また集塵フィルターにおいて増殖して悪臭を発生しその空気が室内に持ち込まれたり、また集塵フィルターを清掃等するために各種装置から取り外した際に、集塵した細菌などが飛散したりするという問題があった。
【０００６】
本発明は上述の点に鑑みてなされたものでありその目的は、室内空気の除菌・消臭・加湿を効率よく行うことができるばかりか、装置内の除菌・消臭も同時に行うことができ、これらのことから効果的に室内空気を清浄にすることができるミストによる空気清浄装置を提供することにある。
【課題を解決するための手段】
【０００７】
本発明にかかる空気清浄機は、ケース内に、少なくとも集塵フィルターとファンとを収納し、ファンを駆動することでケースに設けた空気取り入れ口から取り入れた空気を、前記集塵フィルターに通過させ、これによって空気中の塵を集塵すると共に、集塵が完了した空気をケースに設けた空気吹き出し孔から外部に吹き出す空気清浄機であって、前記空気清浄機にはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルターに吹き出すミスト放出手段とを設け、前記ミスト放出手段から吹き出した次亜塩素酸水ミストを集塵フィルターに付着させることで、集塵フィルターに付着している細菌・ウィルス・カビを除菌すると共に集塵フィルターを消臭し、さらに集塵フィルターを通過する空気の加湿を行う。
ここでｐＨ４．５〜ｐＨ７．０に調整された次亜塩素酸水は、除菌力が強く、安全性が高く、蓄積汚染の無いことが知られている。そしてこの空気清浄機によれば、除菌・消臭機能を有する次亜塩素酸水ミストを集塵フィルターに付着させるので、集塵フィルターに集塵した塵に付着している細菌・ウィルス・カビを除菌・増殖抑制することができると共に集塵フィルターを効果的に消臭することができる。同時に集塵フィルターを経て室内に放出された次亜塩素酸水ミストによって、室内空間の細菌等を除菌し、また生活臭・混合悪臭（タバコ・ペット臭等）を消臭できる。同時に室内空気の加湿を行うことができる。
【０００８】
前記ミスト放出手段は、前記気化装置によって気化された次亜塩素酸水ミストの一部を前記ケースに設けたミスト放出口から直接外部に吹き出すとともに、他の一部を前記集塵フィルターの前面側に吹き出すことが好ましい。これによって次亜塩素酸水ミストの一部が直接室内に供給されるので、室内空間の細菌等を直接除菌でき、また生活臭・混合悪臭（タバコ・ペット臭等）を直接消臭でき、同時に室内空気の加湿を直接行うことができる。つまり室内空間と空気清浄機内部の両者を同時に効果的に除菌・消臭できる。
【０００９】
本発明にかかる分煙機は、ケース内に、少なくとも集塵フィルターとファンとを収納し、ファンを駆動することでケースに設けた煙取り入れ口から取り入れたタバコの煙を、前記集塵フィルターに通過させ、これによってタバコの煙を集塵すると共に、集塵が完了した空気をケースに設けた空気吹き出し孔から外部に吹き出す分煙機であって、前記分煙機にはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルターに吹き出すミスト放出手段とを設け、前記ミスト放出手段から吹き出した次亜塩素酸水ミストを集塵フィルターに付着させることで、集塵フィルターに付着している細菌・ウィルス・カビを除菌すると共に集塵フィルターに集塵された悪臭を消臭し、さらに集塵フィルターを通過する空気の加湿を行う。この分煙機によれば、殺菌・消臭機能を有する次亜塩素酸水ミストを集塵フィルターに付着させるので、集塵フィルターに集塵した塵に付着している細菌・ウィルス・カビを除菌・増殖抑制することができると共に集塵フィルターに集塵されたタバコの煙を主とする悪臭を効果的に消臭することができる。同時に集塵フィルターを経て室内に放出された次亜塩素酸水ミストによって、室内空間の細菌等を除菌し、また混合悪臭（タバコ臭）・生活臭を消臭できる。同時に室内空気の加湿を行うことができる。
【００１０】
前記ミスト放出手段は、前記気化装置によって気化された次亜塩素酸水ミストの一部を前記ケースに設けたミスト放出口から直接外部に吹き出すとともに、他の一部を前記集塵フィルターの前面側に吹き出すことが好ましい。これによって次亜塩素酸水ミストの一部が直接室内に供給されるので、室内空間の細菌等を直接除菌でき、また混合悪臭（タバコ臭等）・生活臭を直接消臭でき、同時に室内空気の加湿を直接行うことができる。つまり室内空間と分煙機内部の両者を同時に効果的に除菌・消臭できる。
【００１１】
本発明にかかる加湿器は、ケース内に、少なくとも集塵フィルターとファンと加湿手段とを収納し、加湿手段とファンを駆動することでケースに設けた空気取り入れ口から取り入れた空気を、前記集塵フィルターに通過させて集塵すると共に、前記加湿手段によって加湿し、前記集塵と加湿が完了した加湿空気をケースから外部に吹き出す加湿器であって、前記加湿手段は次亜塩素酸水を収納するタンクと、前記タンク内の次亜塩素酸水を取り出して気化する気化装置と、前記気化装置によって気化された次亜塩素酸水ミストの一部または全部を前記集塵フィルターに吹き出すミスト放出手段とを有して構成され、前記ミスト放出手段から吹き出した次亜塩素酸水ミストを集塵フィルターに付着させることで、集塵フィルターを通過する空気の加湿を行うと共に、集塵フィルターに付着している細菌・ウィルス・カビを除菌して集塵フィルターを消臭する。この加湿器によれば、除菌・消臭機能を有する次亜塩素酸水ミストを集塵フィルターに付着させるので、集塵フィルターに集塵した塵に付着している細菌・ウィルス・カビを除菌・増殖抑制することができると共に集塵フィルターを効果的に消臭することができる。また集塵フィルターを経て室内に放出された次亜塩素酸水ミストによって、室内空気を加湿することができると同時に室内空間の細菌等を除菌でき、また生活臭・混合悪臭（タバコ・ペット臭等）を消臭できる。
【００１２】
前記ミスト放出手段は、前記気化装置によって気化された次亜塩素酸水ミストの一部を前記ケースから直接外部に吹き出すとともに、他の一部を前記集塵フィルターの前面側に吹き出すことが好ましい。これによって次亜塩素酸水ミストの一部が直接室内に供給されるので、室内空気の加湿を直接行うことができ、また室内空間の細菌等を直接除菌でき、同時に生活臭・混合悪臭（タバコ・ペット臭等）を直接消臭できる。つまり室内空間と加湿器内部の両者を同時に効果的に除菌・消臭しながら加湿できる。
【００１３】
本発明にかかる空調装置は、室内空間への空気の給気口及び排気口と、外気や前記排気口から還流された空気を熱交換機に導くとともに熱交換器で加熱又は冷却された空気を前記給気口から室内に給気するダクトと、前記ダクト内に設置される集塵フィルター及びファンとを具備し、前記ファンを駆動することで前記ダクト内の空気を前記集塵フィルターに通過させ、これによって空気中の塵を集塵すると共に、集塵が完了した空気を前記給気口から室内空間に吹き出す空調装置であって、前記空調装置にはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルター又は熱交換器に吹き出すミスト放出手段とを設け、前記ミスト放出手段から吹き出した次亜塩素酸水ミストを集塵フィルター又は熱交換器に付着させることで、集塵フィルター又は熱交換器に付着している細菌・ウィルス・カビを除菌すると共に集塵フィルター又は熱交換器を消臭し、さらに集塵フィルター又は熱交換器を通過する空気の加湿を行う。この空調装置によれば、除菌・消臭機能を有する次亜塩素酸水ミストを集塵フィルター又は熱交換器に付着させるので、集塵フィルター又は熱交換器に付着している細菌・ウィルス・カビを除菌・増殖抑制することができると共に集塵フィルター又は熱交換器を効果的に消臭することができる。さらに集塵フィルター又は熱交換器からダクトを経て給気口から室内に放出される次亜塩素酸水ミストによって、ダクト内と室内空間の細菌等を除菌し、また生活臭・混合悪臭（タバコ・ペット臭等）を消臭し、同時に室内空気の加湿を行うことができる。
【００１４】
本発明にかかるルームエアコンは、室外機の熱交換器と室内機の熱交換器の間で冷媒を循環すると共に、前記室内機の熱交換器の上流側に集塵フィルターを設置し、前記室内機の熱交換器及び集塵フィルターに対してファンによって室内空気を通過させることで室内空気の温度を冷却又は加熱すると同時に室内空気中の塵を集塵するルームエアコンであって、前記ルームエアコンにはさらに、次亜塩素酸水を収納するタンクと、前記タンク内の次亜塩素酸水を取り出して気化する気化装置と、前記気化装置によって気化された次亜塩素酸水ミストの一部または全部を前記集塵フィルター又は室内機の熱交換器に吹き出すミスト放出手段とを設け、前記ミスト放出手段から吹き出した次亜塩素酸水ミストを集塵フィルター又は室内機の熱交換器に付着させることで、集塵フィルター又は室内機の熱交換器に付着している細菌・ウィルス・カビを除菌すると共に集塵フィルター又は室内機の熱交換器を消臭し、さらに集塵フィルター又は室内機の熱交換器を通過する室内空気の加湿を行う。このルームエアコンによれば、除菌・消臭機能を有する次亜塩素酸水ミストを集塵フィルター又は室内機の熱交換器に付着させるので、集塵フィルター又は室内機の熱交換器に付着している細菌・ウィルス・カビを除菌・増殖抑制することができると共に集塵フィルター又は室内機の熱交換器を効果的に消臭することができる。同時に集塵フィルター又は室内機の熱交換器を経て室内に放出された次亜塩素酸水ミストによって、室内空間の細菌等を除菌し、また生活臭・混合悪臭（タバコ・ペット臭等）を消臭できる。同時に室内空気の加湿を行うことができる。
【００１５】
本発明にかかる自動車搭載用小型噴霧機は、自動車内に搭載される自動車搭載用小型噴霧機であって、前記自動車搭載用小型噴霧機は、次亜塩素酸水を収納するタンクと、前記タンク内の次亜塩素酸水を取り出して気化する気化装置と、前記気化装置によって気化された次亜塩素酸水ミストを吹き出すミスト放出手段とを具備し、前記ミスト放出手段から吹き出した次亜塩素酸水ミストの少なくとも一部を、直接又は自動車の車内を通して間接に、自動車用空調機構のダクト内に導入して熱交換器に付着させ、これによって熱交換器に付着している細菌・ウィルス・カビを除菌すると共に熱交換器を消臭し、さらに自動車室内空気の加湿を行う。この自動車搭載用小型噴霧機によれば、除菌・消臭機能を有する次亜塩素酸水ミストを熱交換器に付着させるので、熱交換器に付着している細菌・ウィルス・カビを除菌・増殖抑制することができると共に熱交換器を効果的に消臭することができる。さらに熱交換器からダクトを経て自動車室内に放出される次亜塩素酸水ミストによって、ダクト内と自動車室内の細菌等を除菌し、また生活臭・混合悪臭（タバコ・ペット臭等）を消臭し、同時に室内空気の加湿を行うことができる。
【発明の効果】
【００１６】
本発明によれば、室内空気の除菌・消臭・加湿を効率よく行うことができるばかりか、装置内の除菌・消臭も同時に行うことができ、これらのことから効果的に室内空気を清浄にすることができるミストによる空気清浄装置（空気清浄機、分煙機、加湿器、空調装置、ルームエアコン、自動車搭載用小型噴霧機）を提供できる。
【図面の簡単な説明】
【００１７】
【図１】空気清浄機１−１の概略斜視図である。
【図２】分煙機１−２の概略斜視図である。
【図３】加湿器１−３の概略斜視図である。
【図４】空調装置１−４の全体概略構成図である。
【図５】ルームエアコン１−５の全体概略構成図である。
【図６】自動車搭載用小型噴霧機１４１−６を用いた自動車用空調機構１−６の概略構成図である。
【発明を実施するための形態】
【００１８】
以下、本発明の実施形態を図面を参照して詳細に説明する。
〔第１実施形態〕
図１は本発明の第１実施形態にかかる空気清浄機１−１の概略斜視図である。なお空気清浄機１−１の正面側のパネルは内部説明のため記載を省略している。同図に示すように空気清浄機１−１は、ケース１０内に、集塵フィルター２０と、集塵フィルター２０の後側（下流側）に設置されるファン２３とを収納し、ファン２３を駆動することでケース１０に設けた空気取り入れ口（図示せず）から取り入れた空気を、前記集塵フィルター２０に通過させ、これによって空気中の塵を集塵すると共に、集塵が完了した空気をケース１０の上面に設けた空気吹き出し孔２５から外部に吹き出す構成となっている。またこの空気清浄機１−１はさらに次亜塩素酸水２７を収納するタンク２９と、タンク２９内の次亜塩素酸水２７を取り出して気化する気化装置３０と、気化装置３０によって気化された次亜塩素酸水ミストの一部をケース１０の上面に設けたミスト吹き出し口４１から吹き出すと共に他の一部を前記集塵フィルター２０の前面側（上流側）に吹き出すミスト放出手段４０とを具備して構成されている。集塵フィルター２０はフィルターボックス１５内に設置されている。
【００１９】
気化装置３０は、底部に設置される超音波ユニット３１と、超音波ユニット３１によって超音波振動を行う振動子３３とを具備して構成されている。またミスト放出手段４０は上下方向を向く筒体で構成され、その下端は前記振動子３３の周囲を囲むように超音波ユニット３１上に設置され、その上端はミスト吹き出し口４１に接続されている。ミスト放出手段４０の側面には２つの小径の接続管４３，４３が取り付けられており、それらの先端は集塵フィルター２０の前面側（フィルターボックス１５の側部）に開口している。各接続管４３，４３の根元部分にはミスト注入弁４５，４５が取り付けられている。ミスト注入弁４５は気化された次亜塩素酸水ミストが集塵フィルター２０側にのみ移動可能に構成されている。
【００２０】
以上のように構成された空気清浄機１−１を駆動すると、ファン２３が起動し、空気取り入れ口から取り入れた空気がフィルターボックス１５内に導入され、集塵フィルター２０を通過し、その際空気中の塵が集塵フィルター２０に集塵され、集塵が完了した空気がファン２３を通過して空気吹き出し孔２５から外部に吹き出される。
【００２１】
一方同時に超音波ユニット３１が起動し、振動子３３が超音波振動することで、タンク２９からその下部を通って振動子３３の上部（ミスト放出手段４０内の下部）に所定水位溜まっている次亜塩素酸水が超音波振動され、ミストとなった次亜塩素酸水ミスト（ドライミスト、飛沫粒子５μｍ未満）がミスト放出手段４０内を上昇し、その一部がミスト吹き出し口４１から室内に直接放出されると共に、一部がミスト注入弁４５と接続管４３を通って集塵フィルター２０の前面側に放出される。
【００２２】
室内に直接放出された除菌・消臭機能を有する次亜塩素酸水ミストは、室内空間の細菌・ウィルス・カビ等を直接的に除菌し、また生活臭・混合悪臭（タバコ・ペット臭等）の消臭に効果を有する。
【００２３】
フィルターボックス１５内にある集塵フィルター２０の前面側に放出された次亜塩素酸水ミストは集塵フィルター２０に付着し、集塵フィルター２０に集塵した塵に付着している細菌・ウィルス・カビを除菌・増殖抑制すると共に集塵フィルター２０を効果的に消臭する。同時に集塵フィルター２０を経て空気吹き出し孔２５から室内に放出される次亜塩素酸水ミストによって、室内空間の細菌等を除菌し、また生活臭・混合悪臭（タバコ・ペット臭等）を消臭する。同時に室内空気の加湿を行う。
【００２４】
この空気清浄機１−１においては、次亜塩素酸水ミストの一部が直接室内に供給されて室内空間の細菌等を直接除菌でき、同時に一部が集塵フィルター２０に供給されて空気清浄機１−１の内部を除菌・消臭できる。つまり室内空間と空気清浄機１−１内部の両者を同時に効果的に除菌・消臭・加湿することができ、これによって室内空間により清潔な空気を循環させることができる。
【００２５】
なおこの空気清浄機１−１においては、集塵フィルター２０が除菌・消臭・加湿されるため、従来設置していたフィルターボックス１５内の脱臭フィルターや加湿フィルターは不用で、空気清浄機１−１製造コストの軽減を図ることができる。なお脱臭フィルターや加湿フィルターを取り付けても良いことは言うまでもない。
【００２６】
またこの空気清浄機１−１においては、次亜塩素酸水ミストの一部を直接室内に供給し、他の一部を集塵フィルター２０に供給したが、場合によってはミスト吹き出し口４１を設けず、全ての次亜塩素酸水ミストを集塵フィルター２０に供給しても良い。
【００２７】
〔第２実施形態〕
図２は本発明の第２実施形態にかかる分煙機１−２の概略斜視図である。なお分煙機１−２の正面側のパネルは内部説明のため記載を省略している。同図に示すように分煙機１−２は、ケース１０−２内に、集塵フィルター２０−２と、集塵フィルター２０−２の後側（下流側）に設置されるファン２３−２とを収納し、ファン２３−２を駆動することでケース１０−２の上面に設けた空気取り入れ口２６−２から取り入れた空気を、前記集塵フィルター２０−２に通過させ、これによって空気中の塵を集塵すると共に、集塵が完了した空気をケース１０−２の下面に設けた空気吹き出し孔（図示せず）から外部に吹き出す構成となっている。またこの分煙機１−２はさらに次亜塩素酸水２７−２を収納するタンク２９−２と、タンク２９−２内の次亜塩素酸水２７−２を取り出して気化する気化装置３０−２と、気化装置３０−２によって気化された次亜塩素酸水ミストの一部をケース１０−２の上面に設けたミスト吹き出し口４１−２から吹き出すと共に他の一部を前記集塵フィルター２０−２の前面側（上流側）に吹き出すミスト放出手段４０−２とを具備して構成されている。気化装置３０−２とミスト放出手段４０−２の構成は上記空気清浄機１−１と同様である。
【００２８】
以上のように構成された分煙機１−２を駆動すると、ファン２３−２が起動し、空気取り入れ口２６−２から取り入れた空気がフィルターボックス１５内に導入され、集塵フィルター２０−２を通過し、その際空気中の塵（主としてタバコの煙）が集塵フィルター２０−２に集塵され、集塵が完了した空気がファン２３−２を通過して空気吹き出し孔から外部に吹き出される。
【００２９】
一方同時に超音波ユニット３１−２が起動し、振動子３３−２が超音波振動することで、タンク２９−２からその下部を通って振動子３３−２の上部に所定水位溜まっている次亜塩素酸水が超音波振動され、ミストとなった次亜塩素酸水ミストがミスト放出手段４０−２内を上昇し、その一部がミスト吹き出し口４１−２から室内に直接放出されると共に、一部がミスト注入弁４５−２と接続管４３−２を通って集塵フィルター２０−２の前面側に放出される。
【００３０】
室内に直接放出された除菌・消臭機能を有する次亜塩素酸水ミストは、室内空間の細菌・ウィルス・カビ等を直接的に除菌し、また混合悪臭（タバコ臭等）・生活臭の消臭に効果を有する。
【００３１】
フィルターボックス１５−２内にある集塵フィルター２０−２の前面側に放出された次亜塩素酸水ミストは集塵フィルター２０−２に付着し、集塵フィルター２０−２に集塵した塵に付着している細菌・ウィルス・カビを殺菌・増殖抑制すると共に集塵フィルター２０−２に集塵されたタバコの煙を主とする悪臭を効果的に消臭することができる。同時に集塵フィルター２０−２を経て室内に放出される次亜塩素酸水ミストによって、室内空間の細菌等を除菌し、また混合悪臭（タバコ臭）・生活臭を消臭する。同時に室内空気の加湿を行う。
【００３２】
この分煙機１−２においては、次亜塩素酸水ミストの一部が直接室内に供給されて室内のタバコ臭を直接消臭できると共に室内空間の細菌等を直接除菌でき、同時に一部が集塵フィルター２０−２に供給されて分煙機１−２の内部を消臭・除菌できる。つまり室内空間と分煙機１−２内部の両者を同時に効果的に消臭・除菌・加湿することができ、これによって室内空間により清潔な空気を循環させることができる。
【００３３】
なおこの分煙機１−２においては、集塵フィルター２０−２が消臭・除菌・加湿されるため、従来設置していたフィルターボックス１５−２内の脱臭フィルターや加湿フィルターは不用で、分煙機１−２製造コストの軽減を図ることができる。なお脱臭フィルターや加湿フィルターを取り付けても良いことは言うまでもない。
【００３４】
またこの分煙機１−２においては、次亜塩素酸水ミストの一部を直接室内に供給し、他の一部を集塵フィルター２０−２に供給したが、場合によってはミスト吹き出し口４１−２を設けず、全ての次亜塩素酸水ミストを集塵フィルター２０−２に供給しても良い。
【００３５】
〔第３実施形態〕
図３は本発明の第３実施形態にかかる加湿器１−３の概略斜視図である。なお加湿器１−３の正面側のパネルは内部説明のため記載を省略している。同図に示すように加湿器１−３は、ケース１０−３内に、集塵フィルター２０−３と、集塵フィルター２０−３の後側（下流側）に設置されるファン２３−３とを収納し、ファン２３−３を駆動することでケース１０−３に設けた空気取り入れ口（図示せず）から取り入れた空気を、前記集塵フィルター２０−３を通過させ、これによって空気中の塵を集塵すると共に、集塵が完了した空気をケース１０−３の上面に設けた空気及びミスト吹き出し口４１−３から外部に吹き出す構成となっている。この加湿器１−３はさらに次亜塩素酸水２７−３を収納するタンク２９−３と、タンク２９−３内の次亜塩素酸水２７−３を取り出して気化する気化装置３０−３と、気化装置３０−３によって気化された次亜塩素酸水ミストの一部をケース１０−３の上面に設けた空気及びミスト吹き出し口４１−３から吹き出すと共に他の一部を前記集塵フィルター２０−３の前面側（上流側）に吹き出すミスト放出手段４０−３とを具備して構成されている。気化装置３０−３とミスト放出手段４０−３の構成は上記空気清浄機１−１と同様である。
【００３６】
以上のように構成された加湿器１−３を駆動すると、ファン２３−２が起動し、空気取り入れ口から取り入れた空気がフィルターボックス１５−３内に導入され、集塵フィルター２０−２を通過し、その際空気中の塵が集塵フィルター２０−２に集塵され、集塵が完了した空気がファン２３−２を通過して空気及びミスト吹き出し口４１−３から外部に吹き出される。
【００３７】
一方同時に超音波ユニット３１−３が起動し、振動子３３−３が超音波振動することで、タンク２９−３からその下部を通って振動子３３−３の上部に所定水位溜まっている次亜塩素酸水が超音波振動され、ミストとなった次亜塩素酸水ミストがミスト放出手段４０−３内を上昇し、その一部が空気及びミスト吹き出し口４１−３から室内に直接放出されると共に、一部がミスト注入弁４５−３と接続管４３−３を通って集塵フィルター２０−３の前面側に放出される。
【００３８】
室内に直接放出された除菌・消臭機能を有する次亜塩素酸水ミストは、室内を直接加湿すると共に、室内空間の細菌・ウィルス・カビ等を直接的に除菌し、また生活臭・混合悪臭（タバコ・ペット臭等）の消臭に効果を有する。
【００３９】
フィルターボックス１５−３内にある集塵フィルター２０−３の前面側に放出された次亜塩素酸水ミストは集塵フィルター２０−３に付着し、集塵フィルター２０−３に集塵した塵に付着している細菌・ウィルス・カビを除菌・増殖抑制すると共に集塵フィルター２０−３を効果的に消臭する。同時に集塵フィルター２０−３を経て室内に放出される次亜塩素酸水ミストによって、室内空気の加湿を行い、また室内空間の細菌等を除菌し、同時に生活臭・混合悪臭（タバコ・ペット臭等）を消臭する。
【００４０】
この加湿器１−３においては、次亜塩素酸水ミストの一部が直接室内に供給されて室内空間を直接加湿すると共に室内空間の細菌等を直接除菌でき、同時に一部が集塵フィルター２０−３に供給されて加湿器１−３の内部を加湿・除菌・消臭できる。つまり室内空間と加湿器１−３内部の両者を同時に効果的に加湿・除菌・消臭することができ、これによって室内空間に加湿されたより清潔な空気を循環させることができる。
【００４１】
なおこの加湿器１−３においては、集塵フィルター２０−３が加湿・除菌・消臭されるため、従来設置していたフィルターボックス１５−３内の脱臭フィルターや加湿フィルターは不用で、加湿器１−３製造コストの軽減を図ることができる。なお脱臭フィルターや加湿フィルターを取り付けても良いことは言うまでもない。
【００４２】
またこの加湿器１−３においては、次亜塩素酸水ミストの一部を直接室内に供給し、他の一部を集塵フィルター２０−３に供給したが、場合によっては全ての次亜塩素酸水ミストを集塵フィルター２０−３に供給しても良い。
【００４３】
〔第４実施形態〕
図４は本発明の第４実施形態にかかる空調装置１−４の全体概略構成図である。同図に示すように空調装置１−４は、室内空間５０−４への空気の給気口５１−４と排気口５３−４とを有し、ダクト５５−４に設けたダンパ７１−４を介して取り入れられた外気と排気口５３−４から還流された空気をダクト５５−４を通して集塵フィルター５７−４と室内側の熱交換機５９−４に導き、熱交換器５９−４で加熱又は冷却された空気をファン６１−４を介して再びダクト５５−４を通して給気口５１−４から室内空間５０−４に給気する構成となっている。
【００４４】
一方空調装置１−４には、次亜塩素酸水生成装置６３−４と、生成した次亜塩素酸水を収納するタンク６５−４と、タンク６５−４内の次亜塩素酸水を取り出して気化して次亜塩素酸水ミストとする気化装置６７−４と、気化装置６７−４によって気化された次亜塩素酸水ミストを前記集塵フィルター５７−４の前面側（上流側）に吹き出すミスト放出手段６８−４とを設け、気化装置６７−４で生成された次亜塩素酸水ミストをミスト放出手段６８−４を通してダクト５５−４内の集塵フィルター５７−４の上流側に供給してこれに付着させるように構成している。次亜塩素酸水生成装置６３−４は低濃度のｐＨ調整剤を極微量に次亜塩素酸ソーダに混合し、ｐＨ５．５±０．５にすることにより、有効除菌成分である次亜塩素酸分子（ＨＣＬＯ）を大量に含んだ除菌・消臭水を生成するものであり、極めて効果的な空間除菌・消臭を可能とする。気化装置６７−４は前記各実施形態の気化装置と同じ構造のものを用いるが、他の各種構造のものを用いても良い。なお６９−４は前記室内側の熱交換器５９−４に接続される室外機（内部に屋外側の熱交換器が収納されている）、７３−４はＨＥＰＡフィルターである。
【００４５】
この空調装置１−４を起動すれば、ファン６１−４が駆動されダンパ７１−４を介して外気が取り入れられると共にダクト５５−４と室内空間５０−４内の空気が循環する。同時に熱交換器５９−４によって前記循環空気の温度がコントロールされる。このときダクト５５−４内の空気が集塵フィルター５７−４を通過し、これによって空気中の塵が集塵され、集塵が完了した空気が給気口５１−４から室内空間に吹き出される。一方ミスト放出手段６８−４から吹き出された次亜塩素酸水ミストは集塵フィルター５７−４に付着し、集塵フィルター５７−４に付着している細菌・ウィルス・カビが除菌・増殖抑制されると共に集塵フィルター５７−４を消毒・消臭し、また集塵フィルター５６−４を通過する空気の加湿を行う。さらに集塵フィルター５７−４からダクト５５−４を経て給気口５１−４から室内空間５０−４に放出された次亜塩素酸水ミストによって、ダクト５５−４内と室内空間５０−４の細菌等を除菌・増殖抑制し、また生活臭・混合悪臭（タバコ・ペット臭等）を消臭し、同時に室内空気５０−４の加湿を行う。そのときダクト５５−４内の各種機器の除菌・消臭も行うことができる。また室内空間５０−４に、より清潔な空気を循環させることによってダンパ７１−４からの外気の取入量を減少し、冷・暖房効果を高める効果も有する。
【００４６】
上記空調装置１−４においては、ミスト放出手段６８−４によって、次亜塩素酸水ミストを集塵フィルター５７−４の前面側に吹き出すように構成したが、その代りに次亜塩素酸水ミストを室内側の熱交換器５９−４の前面側（熱交換器５９−４と集塵フィルター５７−４の間）に吹き出すように構成しても良い。このように構成した場合は、ミスト放出手段６８−４から吹き出した次亜塩素酸水ミストは熱交換器５９−４（空気を通して熱交換を行う熱交換部）に付着し、熱交換器５９−４に付着している細菌・ウィルス・カビが除菌・増殖抑制されると共に熱交換器５９−４が消毒・消臭され、また熱交換器５９−４を通過する空気の加湿が行われる。さらに熱交換器５９−４からダクト５５−４を経て給気口５１−４から室内空間５０−４に放出された次亜塩素酸水ミストによって、ダクト５５−４内と室内空間５０−４の細菌等を除菌・増殖抑制し、また生活臭・混合悪臭（タバコ・ペット臭等）を消臭し、同時に室内空気５０−４の加湿を行う。
【００４７】
また上記空調装置１−４においては、ミスト放出手段６８−４によって生成した全ての次亜塩素酸水ミストを集塵フィルター５７−４又は熱交換器５９−４の前面側に吹き出すように構成したが、その代りに、生成した一部の次亜塩素酸水ミストを集塵フィルター５７−４又は熱交換器５９−４の前面側に吹き出すように構成しても良い。その場合生成した他の次亜塩素酸水ミストは、例えば室内空間５０−４に直接供給してもよい。
【００４８】
〔第５実施形態〕
図５は本発明の第５実施形態にかかるルームエアコン１−５の全体概略構成図である。同図に示すようにルームエアコン１−５は、室外機８０−５の熱交換器８１−５と室内機９０−５の熱交換器９１−５の間で冷媒を循環すると共に、室内機９０−５の熱交換器９１−５の上流側に集塵フィルター９３−５を設置し、室内機９０−５の熱交換器９１−５及び集塵フィルター９３−５に対してファン９５−５によって室内空気を通過させることで室内空気の温度を冷却又は加熱すると同時に室内空気中の塵を集塵する構成となっている。
【００４９】
一方ルームエアコン１−５には、次亜塩素酸水を収納するタンク８５−５と、タンク８５−５内の次亜塩素酸水を取り出して気化する気化装置８７−５と、気化装置８７−５によって気化された次亜塩素酸水ミストを室内機９０−５の集塵フィルター９３−５の上流側に吹き出すミスト放出手段８８−５とを設け、ミスト放出手段８８−５から吹き出した次亜塩素酸水ミストを集塵フィルター９３−５に付着させることで、集塵フィルター９３−５に付着している細菌・ウィルス・カビを除菌・増殖抑制すると共に集塵フィルター９３−５を消臭し、さらに集塵フィルター９３−５を通過する室内空気の加湿を行うように構成している。同時に集塵フィルター９３−５を経て室内に放出された次亜塩素酸水ミストによって、室内空間の細菌等を除菌し、また生活臭・混合悪臭（タバコ・ペット臭等）を消臭する。気化装置８７−５は前記各実施形態の気化装置と同じ構造のものを用いるが、他の各種構造のものを用いても良い。
【００５０】
上記ルームエアコン１−５においては、ミスト放出手段８８−５によって、次亜塩素酸水ミストを集塵フィルター９３−５の前面側（上流側）に吹き出すように構成したが、その代りに次亜塩素酸水ミストを室内機９０−５の熱交換器９１−５の前面側（集塵フィルター９３−５と熱交換器９１−５の間）に吹き出すように構成しても良い。このように構成した場合は、ミスト放出手段８８−５から吹き出した次亜塩素酸水ミストは熱交換器９１−５（空気を通して熱交換を行う熱交換部）に付着し、熱交換器９１−５に付着している細菌・ウィルス・カビが除菌・増殖抑制されると共に熱交換器９１−５が消毒・消臭され、また熱交換器９１−５を通過する空気の加湿が行われる。同時に熱交換器９１−５を経て室内に放出された次亜塩素酸水ミストによって、室内空間の細菌等が除菌され、また生活臭・混合悪臭（タバコ・ペット臭等）が消臭される。
【００５１】
また上記ルームエアコン１−５においては、ミスト放出手段８８−５によって生成した全ての次亜塩素酸水ミストを集塵フィルター９３−５又は熱交換器９１−５の前面側に吹き出すように構成したが、その代りに、生成した一部の次亜塩素酸水ミストを集塵フィルター９３−５又は熱交換器９１−５の前面側に吹き出すように構成しても良い。その場合生成した他の次亜塩素酸水ミストは、例えば室内空間に直接供給してもよい。
【００５２】
〔第６実施形態〕
図６は本発明の第６実施形態にかかる自動車搭載用小型噴霧機１４１−６を用いた自動車用空調機構１−６の概略構成図である。自動車搭載用小型噴霧機１４１−６は自動車室内に設置されるものであり、自動車用空調機構１−６はこの自動車搭載用小型噴霧機１４１−６と、自動車室内への空気の給気口１３１−６及び吸気口１３３−６を有するダクト１３５−６と、ダクト１３５−６内に設置され吸気口１３３−６から吸気（還流）された空気を加熱又は冷却する熱交換器１３７−６と、前記ダクト１３５−６内に設置されるファン１３９−６とを具備して構成されている。さらにダクト１３５−６には、外気を取り入れる吸気口１３４−６が設けられ、切換弁１３２−６によって前記吸気口１３３−６と吸気口１３４−６とが切り換えられるように構成されている。
【００５３】
給気口１３１−６と吸気口１３３−６は何れも自動車室内（一般にはダッシュボード近傍等）に開口している。熱交換器１３７−６は自動車室内側の熱交換器であり、自動車室外側の熱交換器１４３−６との間で冷媒が循環している。
【００５４】
一方自動車搭載用小型噴霧機１４１−６は、自動車室内に搭載される小型の噴霧機であって、次亜塩素酸水を収納するタンク１００−６と、タンク１００−６内の次亜塩素酸水１０２−６を取り出して気化する気化装置１０１−６と、気化装置１０１−６によって気化された次亜塩素酸水ミストを吹き出すミスト放出手段１０３−６と、水平度を検出する水平検出手段１０５−６と、水平検出手段１０５−６によって検出した水平度が予め設定しておいた水平度よりも傾いたことを検出したら電源を遮断する制御手段１０７−６とを具備して構成されている。なお１０９−６は振動子、１１１−６はカーＤＣアダプター口、１１３−６は電源スイッチである。ミスト放出手段１０３−６の側面には接続管１１５−６が着脱自在に取り付けられており、ケース１１７−６の外部に突出している。接続管１１５−６の根元部分にはミスト注入弁１１９−６（機能は前記図１に示すミスト注入弁４５と同じである。）が取り付けられている。接続管１１５−６の先端は、ダクト１３５−６の吸気口１３３−６に対向する位置に設置されている。
【００５５】
タンク１００−６は筒形状であり、その底に気化装置１０１−６が設置され、また気化装置１０１−６の上面中央に筒状のミスト放出手段１０３−６が取り付けられている。つまりミスト放出手段１０３−６はタンク１００−６の中央を貫通してその上端がタンク１００−６上部のミスト吹き出し口１２１−６で開口している。気化装置１０１−６の上面（タンク１００−６の底面）には気化装置１０１−６にタンク１００−６内の次亜塩素酸水１０２−６を導入する注入口１０４−６が設けられている。このように自動車搭載用小型噴霧機１４１−６を構成すれば、そのコンパクト化が図れ、自動車室内に設置しても場所を取らず、好適である。
【００５６】
以上のように構成された自動車用空調機構１−６を起動すると、両熱交換器１３７−６，１４３−６とファン１３９−６が起動し、切換弁１３２−６がダクト１３５−６を吸気口１３３−６側に開いているとすると、自動車室内から吸気口１３３−６を通してダンパ１３５−６内に導入された空気が熱交換器１３７−６で加熱又は冷却された後に給気口１３１−６から自動車室内に供給される。一方自動車搭載用小型噴霧機１４１−６が起動し、気化装置１０１−６が起動してタンク１００−６から気化装置１０１−６内に次亜塩素酸水が供給されて次亜塩素酸水ミストが生成され、ミスト放出手段１０３−６のミスト吹き出し口１２１−６から自動車室内に次亜塩素酸水ミストが吹き出される。これによって自動車室内の除菌・消臭・加湿を行うことができる。即ち車内空間の細菌・ウィルス・花粉・カビ菌等を直接的に除菌し、また座席シート等に付着した車内臭・混合悪臭（タバコ臭等）の消臭に効果を有する。
【００５７】
一方接続管１１５−６に分岐して吸気口１３３−６からダクト１３５−６内に導入された次亜塩素酸水ミストは、熱交換器１３７−６に付着し、これによって熱交換器１３７−６に付着している細菌・ウィルス・カビを除菌すると共に熱交換器１３７−６を消毒し、さらに熱交換器１３７−６を通過する空気の加湿を行う。次亜塩素酸水ミストはダクト１３５−６の内壁面にも付着し、その除菌・消臭・繁殖防止も行う。湿気が多いダクト１３５−６及び熱交換器１３７−６内部は、細菌が繁殖し易く、悪臭の原因にもなり、また洗浄が困難であるが、次亜塩素酸水ミストを集中的にこれらダクト１３５−６及び熱交換器１３７−６に噴霧することによって蓄積した細菌・花粉等の除菌・抑制効果、及び混合悪臭（タバコ臭）の脱臭効果を強力に高めることができる。さらに前記したミスト吹き出し口１２１−６から自動車室内に吹き出された次亜塩素酸水ミストが自動車室内を循環した後に間接的に吸気口１３３−６からダクト１３５−６内に導入されることによっても、ダクト１３５−６及び熱交換器１３７−６内の細菌・ウィルス・カビ菌等の除菌・消臭・繁殖防止効果が増進される。
【００５８】
以上のようにこの自動車用空調機構１−６によれば、洗浄が困難なダクト１３５−６及び熱交換器１３７−６内部（及びダクト１３５−６内にフィルターを設置している場合はフィルター）、及び座席シート等に次亜塩素酸水ミストを付着させることによってフィルター交換や車内クリーニングコストの軽減を図ることが可能になる。
【００５９】
この自動車搭載用小型噴霧機１４１−６は上述のようにコンパクトに構成できるので、これをペットボトルサイズに構成すれば、自動車のカップホルダーに置くことができ、カーＤＣアダプターをカーＤＣアダプター口１１１−６に接続するだけで、無臭の次亜塩素酸水ミストが瞬時に消臭、車内空間を爽やかにすると同時に、車内空間及びカーエアコンを構成するダクト１３５−６や熱交換器１３７−６の細菌・ウィルスなどを強力に除菌・消臭する。
【００６０】
一方自動車は走行中揺れるが、その揺れが大きいと気化装置１０１−６による次亜塩素酸水の気化が十分行えなくなる恐れがある（振動子１０９−６の上部のミスト放出手段１０３−６内の水の水深には、振動子１０９−６によって最も効率的にミストが発生する最適水深があり、それより水深が深くても浅くても効率的なミストの発生は望めない）。そこでこの自動車搭載用小型噴霧機１４１−６においては、自動車搭載用小型噴霧機１４１−６が水平状態から所定角度以上傾いたことを水平検出手段１０５−６が検出した場合は次亜塩素酸水の気化が十分行えなくなる恐れがあるので、その検出信号を入力した制御手段１０７−６が自動車搭載用小型噴霧機１４１−６の電源を自動的に停止し、次亜塩素酸水ミストの生成を停止するように制御することとしている。なお水平検出手段１０５−６の代りに、振動センサを設置し、予め定めておいた振動量を越えた場合に自動車搭載用小型噴霧機１４１−６の電源を自動的に停止し、次亜塩素酸水ミストの生成を停止するように制御しても良い。また自動車の振動がそのまま自動車搭載用小型噴霧機１４１−６に伝わらないようにするため、自動車搭載用小型噴霧機１４１−６を吊下げ手段による吊下げ構造としたり、自動車搭載用小型噴霧機１４１−６を載置する載置部に弾性体等の振動緩衝材を介在する等し、これらの振動抑制手段によって前記振動を緩和するように構成しても良い。
【００６１】
なおこの自動車用空調機構１−６においては、次亜塩素酸水ミストの一部を直接ダクト１３５−６に供給し、他の一部を直接自動車室内に供給したが、場合によっては接続管１１５−６を取り外し、全ての次亜塩素酸水ミストを一旦自動車の室内に供給し、室内を通して間接に次亜塩素酸水ミストの一部を自動車用空調機構１−６のダクト１３５−６内に導入して熱交換器１３７−６に付着させ、これによって熱交換器１３７−６に付着している細菌・ウィルス・カビを除菌すると共に熱交換器１３７−６を消臭しても良い。また逆に、全ての次亜塩素酸水ミストをダクト１３５−６の吸気口１３３−６に直接供給するように構成しても良い。
【００６２】
ところで上記各例において、必要以上に室内に次亜塩素酸水ミストを大量に放出することがないよう、上記各空気清浄装置に空気中の塩素濃度を検出する塩素センサーを取り付け、空気中の塩素を検出したら装置を停止等するように構成しても良い。同様の目的で、上記各空気清浄装置に装着したタンク内の次亜塩素酸水中の塩素濃度を検出する塩素濃度検出センサを設置し、塩素濃度が所定値以上になったことを検出したら装置を停止等するように構成しても良い。
【００６３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。
【符号の説明】
【００６４】
１−１  空気清浄機
１−２  分煙機
１−３  加湿器
１−４  空調装置
１−５  ルームエアコン
１−６  自動車用空調機構
１４１−６  自動車搭載用小型噴霧機
【図１】
2013148327.tif 000003
【図２】
2013148327.tif 000004
【図３】
2013148327.tif 000005
【図４】
2013148327.tif 000006
【図５】
2013148327.tif 000007
【図６】
2013148327.tif 000008